(57)【要約】【課題】外出時等において気軽に着用して、外見上は、表着を着用した恰好のままで、着用者の発汗を促すことができ、年齢、デザイン上の好み等の点で異なる多様な人々に簡易に着用され得るように作製することができる発汗着を兼ねるインナーを提供する。【解決手段】表地ａ（ａ’、ａ”、ａ１、ａ１’）の内面に裏地ｂ（ｂ’、ｂ”、ｂ１、ｂ１’）を設けたインナーであり、表地及び裏地のうちいずれか一方が発汗促進地で形成されており、他方がインナー用地で形成さている発汗着を兼ねるインナーＡ（Ｂ、Ｃ、Ａ’、Ｂ’）。【選択図】図７
2009167583.tif 000002
【特許請求の範囲】
【請求項１】
表地の内面に裏地を設けたインナーであり、該表地及び裏地のうちいずれか一方はインナー着用者の発汗を促す発汗促進地で形成されており、他方は該発汗促進地以外のインナー用地で形成されていることを特徴とする発汗着を兼ねるインナー。
【請求項２】
肌着より上に、表着よりは下に着用する内側着である請求項１記載の発汗着を兼ねるインナー。
【請求項３】
肌着である請求項１記載の発汗着を兼ねるインナー。
【請求項４】
前記表地がインナー外観を形成する発汗促進地で形成されており、前記裏地が該発汗促進地以外のインナー用地で形成されている請求項１、２又は３記載の発汗着を兼ねるインナー。
【請求項５】
前記裏地が発汗促進地で形成されており、前記表地が該発汗促進地以外の、インナー外観を形成するインナー用地で形成されている請求項１、２又は３記載の発汗着を兼ねるインナー。
【請求項６】
前記発汗促進地として、非通気性素地、保温性素地及び蓄熱保温性素地から選ばれた少なくとも１種の素地を含む発汗促進地が採用されている請求項１から５のいずれかに記載の発汗着を兼ねるインナー。
【請求項７】
前記発汗促進地は、抗菌性及び消臭性のうち少なくとも一方も併せ持っている請求項６記載の発汗着を兼ねるインナー。
【請求項８】
前記インナー用地として、吸汗性地が採用されている請求項１から７のいずれかに記載の発汗着を兼ねるインナー。
【請求項９】
着用者身体の上部に着用するシャツ型の発汗着を兼ねるインナーである請求項１から８のいずれかに記載の発汗着を兼ねるインナー。
【請求項１０】
袖を有しており、該袖の袖口部が発汗抑制地を含んで形成されている請求項９記載の発汗着を兼ねるインナー。
【請求項１１】
着用者身体の下部に穿くズボン型の発汗着を兼ねるインナーである請求項１から８のいずれかに記載の発汗着を兼ねるインナー。
【請求項１２】
ズボン型インナー裾部が発汗抑制地を含んで形成されている請求項１１記載の発汗着を兼ねるインナー。
【請求項１３】
着用者身体の上部に着用するシャツ型の発汗着を兼ねるインナー部と該着用者身体の下部に穿くズボン型の発汗着を兼ねるインナー部とを結合したコンビネーション型の発汗着を兼ねるインナーである請求項１から８のいずれかに記載の発汗着を兼ねるインナー。
【請求項１４】
前記シャツ型インナー部が袖を有しており、該袖の袖口部及び前記ズボン型インナー部の裾部のうち少なくとも一方は発汗抑制地を含んで形成されている請求項１３記載の発汗着を兼ねるインナー。
【発明の詳細な説明】
【技術分野】
【０００１】
本発明は、外出時等に着用する表着或いは上着などと一般に称されている衣類（以下、「表着」と総称する。）の内側に着用できる、アンダーウエアとも称されるインナー（インナーウエアの略称）に関し、特に着用者の発汗を促すことができる発汗着を兼ねるインナーに関する。
【背景技術】
【０００２】
従来、発汗着は、例えば、サウナ袋、サウナスーツ、サウナズボン、ダイエット用サウナスーツ、ダイエット用サウナズボンなどと称して、種々のタイプのものが提案されてきた。
【０００３】
例えば、実用新案登録第３１１００８５号公報には、合成樹脂等で形成され、人体の左右の脚を通すための二股の足装着部を設けて歩行可能にしたサウナ発汗袋が記載されている。実用新案登録第３１１８４１６号公報には、遠赤外線放射体を含む袋体で形成され、人体の左右の脚を通すための袴足袋部を有する温熱汗かきサックが記載されている。
【０００４】
特開平６−３４３６７５号公報には、面状発熱体と該発熱体に接続された電源部とを有していて、身体に装着可能のサウナスーツが記載されている。
また、最近では、チタン配合シート等の保温性シート等を用いて形成した発汗着も提案されている。
【０００５】
【特許文献１】実用新案登録第３１１００８５号公報
【特許文献２】実用新案登録第３１１８４１６号公報
【特許文献３】特開平６−３４３６７５号公報
【発明の開示】
【発明が解決しようとする課題】
【０００６】
しかしながら、このような従来の発汗着のうち、発汗目的のためにのみ作られた発汗専用着の場合、その外観や形態等からして、買物等のために着用して人目に触れる場所等へ出ても支障のない表着として用いるには不向きである。
【０００７】
上述のように、最近の、チタン配合シート等の保温性シート等を用いて形成した発汗着の場合には、表着として着用できるものも見られるが、それらは、着用者の年齢、デザイン上の好み等に応じた様々のタイプのものとして提案され、販売されており、そのような各種類の発汗着の着用対象者は年齢、好み等に応じて限られてくる傾向にあり、年齢、デザイン上の好み等の点で異なる多様な人々に共通して着用され得る発汗着とは言いがたいものである。
【０００８】
また、従来の発汗着のうち、発汗目的のためにのみ作られた発汗専用着は、既述のとおり表着として用いるには不向きであるばかりか、表着の内側に着用するインナーとして用いるにも不向きなものであるが、今日では、外出時等において、外見上は一般に着用されている表着を着用した、或いはおしゃれな表着を着用した恰好のままで、体重減量、健康増進、美容等のために発汗を促進したい、と願う人もいる。
【０００９】
そこで本発明は、外出時等において気軽に着用して、外見上は表着を着用した恰好のままで、着用者の発汗を促すことができる発汗着を兼ねるインナーを提供することを課題とする。
【００１０】
また本発明は、前記課題を解決できるとともに、年齢、デザイン上の好み等の点で異なる多様な人々が簡易に着用できるように、年齢、デザイン上の好み等の点で異なる多様な人々に着用され得るように作製することができる発汗着を兼ねるインナーを提供することを課題とする。
【課題を解決するための手段】
【００１１】
前記課題を解決するため本発明は、
表地の内面に裏地を設けたインナーであり、該表地及び裏地のうちいずれか一方はインナー着用者の発汗を促す発汗促進地で形成されており、他方は該発汗促進地以外のインナー用地で形成されている発汗着を兼ねるインナーを提供する。
【００１２】
本発明に係るインナーは、表地及び裏地のうちいずれか一方がインナー着用者の発汗を促す発汗促進地で形成されているので、このインナーを着用することで、着用者は発汗が促進される。
【００１３】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００１４】
また、本発明に係るインナーは、表着の内側に着用するものであるから、表着としての外観体裁を備える必要はなく、従って、着用者の年齢、デザイン上の好み等の点で異なる多様な人々に着用され得るように作製することが可能であり、そうすることで、年齢、デザイン上の好み等の点で異なる多様な人々が簡易に着用できる発汗着を兼ねるインナーを提供できる。
【００１５】
なお、本発明に係る発汗着を兼ねるインナーは、そのデザイン等において、もしそのまま人目に触れても可笑しくないように形成されていても何ら差し支えない。そのように形成しておくことで、例えば該インナーより上側に着ている表着を脱いで該インナーが人目に触れることになったとしても、可笑しく思われないようにすることが可能であり、また、そのデザインを工夫しておけば、好ましく見せることさえ可能である。
【００１６】
本発明に係る発汗着を兼ねるインナーは、肌に直接触れるように着用する所謂肌着より上に、表着よりは下に着用する内側着であってもよく、肌着であってもよい。
【００１７】
本発明に係る発汗着を兼ねるインナーは、前記表地がインナー外観を形成する発汗促進地で形成されており、前記裏地が該発汗促進地以外のインナー用地で形成されていてもよく、前記裏地が発汗促進地で形成されており、前記表地が該発汗促進地以外の、インナー外観を形成するインナー用地で形成されていてもよい。
【００１８】
本発明に係る発汗着を兼ねるインナーは、着用者身体の上部に着用するシャツ型のものであっても、着用者身体の下部に穿くズボン型のものであってもよく、また、このようなシャツ型のものとズボン型のものとを組み合わせたコンビネーションタイプのものであってもよい。
【００１９】
また、いずれにしても、前記「発汗促進地」としては、それとは限定されないが、非通気性素地、保温性素地及び蓄熱保温性素地から選ばれた少なくとも一種の素地を含む発汗促進地を例示できる。
【００２０】
非通気性素地、保温性素地及び蓄熱保温性素地のうち２以上を重ね用いたり、接ぎ合わせ用いるなども可能である。
非通気性素地、保温性素地、蓄熱保温性素地のそれぞれとして、以下のようなものを例示できる。
【００２１】
(1) 非通気性素地
例えば非通気性の合成樹脂シートを挙げることができる。非通気性素地は他の機能、例えば保温性を併せ有していてもよい。例えば熱反射及び（又は）遠赤外線放射等によって保温効果を発揮する非通気性素地であってもよい。
【００２２】
(2) 保温性素地
例えば、保温性を示すチタン、遠赤外線放射性を示す物質（例えば遠赤外線放射性を示すセラミック、ブラックシリカ）等の保温性物質を含有した繊維からなる素地や、該保温性物質を後処理で付与した繊維からなる素地或いは該保温性物質を後処理で付与した素地を挙げることができる。
また、保温性繊維（例えば所謂ウォームビズ対応素材である中空繊維を利用した保温性繊維）からなる素地も例示できる。
【００２３】
(3) 蓄熱保温性繊維
例えば、太陽光を吸収し、熱エネルギーに変換する物質（例えば炭化ジルコニウム）、体温を吸収する物質のような蓄熱保温性物質を含有させた蓄熱保温性繊維からなる素地や、該蓄熱保温性物質を後処理で付与した繊維からなる素地或いは該蓄熱保温性物質を後処理で付与した素地を挙げることができる。
【００２４】
いずれにしても、発汗促進地は、抗菌性及び消臭性（ここでは防臭性の概念も含む）のうち少なくとも一方を併せ有していてもよい。
【００２５】
抗菌性については、例えば、銀、酸化チタン等の抗菌性物質を発汗促進地を構成している素地の構成繊維に予め含有させておいたり、抗菌性物質を該素地に後処理で付与することで持たせることができる。消臭性についても、例えば、銀等の消臭性物質を発汗促進地を構成している素地の構成繊維に予め含有させておいたり、該消臭性物質を該素地に後処理で付与することで持たせることができる。
【００２６】
消臭性については、消臭性繊維或いは糸として知られているものを用いることでも持たせることができる。該消臭性繊維或いは糸として、例えば株式会社フエッニックス提供の消臭糸「デオシーム」（登録商標）を挙げることができる。
【００２７】
本発明に係るインナーにおいて表地或いは裏地を形成するための前記インナー用地としては、そのインナーが前記内側着か肌着であるかに応じて、そのインナーに応じた外観、風合い、感触等を実現できる各種材料を使用できる。
【００２８】
本発明に係るインナーでは、インナー用地として、例えば、織物地、編物地、不織布、水着等に採用されている縦横伸縮性のある２ウエイ地から選ばれた少なくとも一種からなる素地を採用でき、その中でもより好ましくは吸汗性良好な吸汗性地（例えば吸汗性、吸湿性に優れた綿布等）を採用できる。
【００２９】
なお、表地と裏地の連結の仕方としては、接着材による接着によるもの、縫着によるもの、これらの組み合わせ等を例示でき、また、ボタン等の留め具や面状ファスナ、ジッパ等の連結具による着脱可能な連結を採用することもできる。
【発明の効果】
【００３０】
以上説明したように本発明によると、外出時等において気軽に着用して、外見上は表着を着用した恰好のままで、着用者の発汗を促すことができる発汗着を兼ねるインナーを提供することができる。
【００３１】
また本発明によると、このようなインナーであって、年齢、デザイン上の好み等の点で異なる多様な人々が簡易に着用できるように、年齢、デザイン上の好み等の点で異なる多様な人々に着用され得るように作製することができる発汗着を兼ねるインナーを提供することができる。
【発明を実施するための最良の形態】
【００３２】
＜肌着である発汗着を兼ねるインナー＞
以下、本発明に係る発汗着を兼ねるインナーの例として、シャツ型のインナーＡ（以下、「シャツＡ」という。）及びズボン型のインナーＢ（以下、「ズボンＢ」という。）について、さらにシャツとズボンを組み合わせたようなコンビネーション型インナーＣ（以下、「つなぎＣ」という。）について図面を参照して説明する。
【００３３】
（１）シャツＡ（図１参照）
図１（Ａ）はシャツＡの正面図、図１（Ｂ）は同シャツの背面図である。
シャツＡは、着用者がその上部（上半身）に肌着として着用するインナーである。
【００３４】
図１に示すとおり、シャツＡは丸襟１１を有するシャツ本体１及び該本体１から延びる左右の長袖２を有するものである。シャツＡは着脱に支障のない伸縮性を有している。
【００３５】
シャツＡは、本例では柔軟性を有する表地ａとその内面側に設けられた柔軟性を有する裏地ｂを含んでいる。表地ａは肌着としてのシャツＡに応じた外観を形成でき、或いはさらに風合い、体裁等を実現できる、インナー用地（こでは綿布）からなっている。
【００３６】
裏地ｂはシャツＡの着用者の発汗を促す発汗促進地で形成されている。
裏地ｂは、長袖２の袖口２１等の若干の部分を除いて表地ａの内面に略全面的に設けられている。
【００３７】
シャツＡは、表地ａがシャツ外観を形成するインナー用地からなっている一方、裏地ｂはシャツ着用者の発汗を促す発汗促進地で形成されているので、このシャツを着用することで、着用者は発汗が促進される。
【００３８】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００３９】
また、シャツＡは、表着の内側に着用するものであるから、表着としての外観体裁を備える必要はなく、従って、着用者の年齢、デザイン上の好み等の点で異なる多様な人々に着用され得るように作製することが可能であり、そうすることで、年齢、デザイン上の好み等の点で異なる多様な人々が簡易に着用できるものとすることができる。
【００４０】
以上説明したシャツＡは袖が長袖２であったが、七分袖等の短い袖や半袖等であってもよく、袖なしシャツでもよい。
袖口部２１、襟部１１等のうち少なくとも一部を発汗抑制地を含んで形成してもよい。袖口等のうち少なくとも一部を発汗抑制地を含んで形成すると、それだけその部分での汗による不快感（ベト付き感等）が抑制され、軽減される。
発汗抑制地については後述する。
【００４１】
（２）ズボンＢ（図２参照）
図２（Ａ）はズボンＢの正面図、図２（Ｂ）は同ズボンの背面図である。
ズボンＢは、着用者がその下部（下半身）に肌着として着用するインナーである。
【００４２】
図２に示すとおり、ズボンＢはズボン本体３の穿き口に伸縮性の絞り部３１を有しており、このズボンを着用しようとするものは、該絞り部３１を広げて穿くことができる。        
【００４３】
ズボンＢは、本例では柔軟性を有する表地ａ’とその内面側に設けられた柔軟性を有する裏地ｂ’を含んでいる。表地ａ’は肌着としてのズボンＢに応じた外観を形成でき、或いはさらに風合い、体裁等を実現できるインナー用地（ここでは綿布）からなっている。      
【００４４】
裏地ｂ’はズボンＢの着用者の発汗を促す発汗促進地で形成されている。
裏地ｂ’は、ズボン本体３の穿き口絞り部３１やズボン裾部３２等の若干の部分を除いて表地ａ’の内面に略全面的に設けられている。
【００４５】
ズボンＢは、表地ａ’がインナーズボン外観を形成するインナー用地からなっている一方、裏地ｂ’はズボン着用者の発汗を促す発汗促進地で形成されているので、この下着ズボンを着用することで、着用者は発汗が促進される。
【００４６】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００４７】
また、ズボンＢは、表着の内側に着用するものであるから、表着としての外観体裁を備える必要はなく、従って、年齢、デザイン上の好み等の点で異なる多様な人々に着用され得るように作製することが可能であり、そうすることで、年齢、デザイン上の好み等の点で異なる多様な人々が簡易に着用できるものとすることができる。
【００４８】
なお、ズボンＢの丈は図示のものに限定されず、３分丈、５分丈、７分丈、十分丈等のいずれでもよい。
また、ズボン穿き口部３１、裾部３２等のうち少なくとも一部を発汗抑制地を含んで形成してもよい。
【００４９】
（３）つなぎＣ（図３参照）
図３（Ａ）はつなぎＣの正面図、図２（Ｂ）は同つなぎの背面図である。つなぎＣは、着用者がその上部（上半身）から下部（下半身）にかけて肌着として着用するインナーである。
【００５０】
図３に示すとおり、つなぎＣはシャツ部４及びこれに連続するズボン部５を含んでいる。シャツ部４は、丸襟４１１を有するシャツ部本体４１及び該本体４１から延びる左右の長袖４２を有するものである。
【００５１】
ズボン部５はシャツ部４の本体４１と一体的に形成されており、本体４１から連続している。
図３（Ｂ）に示すように、つなぎＣの背面側（後ろ側）には、シャツ部本体４１の襟４１１からズボン部５の上部へかけて、着用者のつなぎＣの着脱のための開閉部分６が設けられている。開閉部分６はここでは所謂ジッパー（チャックとも言われる）により開閉できるものであるが、ボタン、ホック等による他の方式の開閉部分であってもよい。また、開閉部分はつなぎＣの側面部や正面部分等の他の部分に設けられていてもよい。
【００５２】
つなぎＣは、本例では柔軟性を有する表地ａ”とその内面側に設けられた柔軟性を有する裏地ｂ”を含んでいる。表地ａ”は肌着としてのつなぎＣに応じた外観を形成でき、或いはさらに風合い、体裁等を実現できるインナー用地（ここでは綿布）からなっている。      
【００５３】
裏地ｂ”はつなぎＣの着用者の発汗を促す発汗促進地で形成されている。
裏地ｂ”は表地ａ”の内面に略全面的に設けられている。
【００５４】
つなぎＣは、表地ａ”がつなぎ外観を形成するインナー用地からなっている一方、裏地ｂ”はつなぎ着用者の発汗を促す発汗促進地で形成されているので、このつなぎＣを着用することで、着用者は発汗が促進される。
【００５５】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００５６】
また、つなぎＣは、表着の内側に着用するものであるから、表着としての外観体裁を備える必要はなく、従って、年齢、デザイン上の好み等の点で異なる多様な人々に着用され得るように作製することが可能であり、そうすることで、年齢、デザイン上の好み等の点で異なる多様な人々が簡易に着用できるものとすることができる。
【００５７】
以上説明したつなぎＣのシャツ部４の袖は長袖４２であったが、七分袖等の短い袖や半袖等であってもよく、袖なしシャツ部でもよい。
ズボン部５の丈は図示のものに限定されず、３分丈、５分丈、７分丈、十分丈等のいずれでもよい。
また、シャツ部４の袖口部４２１、襟部４１１、ズボン部５の裾部５１等のうち少なくとも一部を発汗抑制地を含んで形成してもよい。
【００５８】
以上説明したシャツＡ、ズボンＢ及びつなぎＣでは表地がインナー用地を用いて形成され、裏地が発汗促進地を用いて形成されているが、吸汗性、吸湿性を良くしたり、感触を良くする等のために、表地を発汗促進地を用いて形成し、裏地をインナー用地を用いて形成してもよい。
また、インナー用地としては、前記例示の綿布に限定されず、一般的にインナー用として用いられている各種素地を採用でき、より好ましくは吸汗性、吸湿性に優れているものを採用できる。
【００５９】
＜内側着である発汗着を兼ねるインナー＞
次に、本発明に係る発汗着を兼ねるインナーであって、肌着よりは上に、しかし、表着よりは下に着る内側着として着用できるものの例として、シャツ型の内側着Ａ’（以下、「シャツＡ’」という。）及びズボン型の内側着Ｂ’（以下、「ズボンＢ’」という。）について図面を参照して説明する。
【００６０】
（１）シャツＡ’（図５参照）
図５はシャツＡ’の正面図である。
シャツＡ’は、着用者がその上部（上半身）に内側着として着用するものである。
【００６１】
図５に示すとおり、シャツＡ’は丸襟１１’を有するシャツ本体１’及び該本体１’から延びる左右の長袖２’を有するものである。シャツＡ’は着脱に支障のない伸縮性を有している。
【００６２】
シャツＡ’は、本例では柔軟性を有する表地ａ１とその内面側に設けられた柔軟性を有する裏地ｂ１を含んでいる。
表地ａ１はシャツＡ’の着用者の発汗を促す発汗促進地で形成されている。
裏地ｂ１は吸汗性、吸湿性を良好ならしめるインナー用地（ここでは綿布）で形成されている。
【００６３】
裏地ｂ１は、長袖２’の袖口２１’等の若干の部分を除いて表地ａ１の内面に略全面的に設けられている。
【００６４】
シャツＡ’は、裏地ｂ１が吸汗性、吸湿性を良好ならしめるためにインナー用地で形成されている一方、表地ａ１はシャツ外観を形成する発汗促進地からなっているので、このシャツを着用することで、着用者は発汗が促進される。
【００６５】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００６６】
また、シャツＡ’は、表着の内側に着用するものであるから、表着としての外観体裁を備える必要はなく、従って、年齢、デザイン上の好み等の点で異なる多様な人々に着用され得るように作製することが可能であり、そうすることで、年齢、デザイン上の好み等の点で異なる多様な人々が簡易に着用できるものとすることができる。
【００６７】
なお、ここでのシャツＡ’は、その正面側においてシャツ本体１’と長袖２’との連結ラインあたりに色糸で模様ｄ１を付けてあり、丸襟１１’から下降する色糸刺繍模様ｄ２も設けてあり、さらに、シャツ本体１’の裾部にも色糸で模様ｄ３を周設してあるから、着用して人目に触れるようなことがあっても、支障のない外観体裁を示す。
【００６８】
以上説明したシャツＡ’は袖が長袖２’であったが、七分袖等の短い袖や半袖等であってもよく、袖なしシャツでもよい。
【００６９】
なお、袖口部２１’、襟部１１’等のうち少なくとも一部を発汗抑制地を含んで形成してもよい。袖口部等のうち少なくとも一部を発汗抑制地を含んで形成すると、それだけその部分でのベト付き感が抑制される。
発汗抑制地については後述する。
【００７０】
（２）ズボンＢ’（図６参照）
図６はズボンＢ’の正面図である。
ズボンＢ’は、着用者がその下部（下半身）に着用するインナーである。
【００７１】
図６に示すとおり、ズボンＢ’はズボン本体３’の穿き口３０’に紐３１’を通したものであり、このズボンを着用しようとするものは、穿き口３０’を広げて穿き、紐３１’で絞り結ぶことで装着することができる。
【００７２】
ズボンＢ’は、本例では柔軟性を有する表地ａ１’とその内面側に設けられた柔軟性を有する裏地ｂ１’を含んでいる。
表地ａ１’はズボンＢ’の着用者の発汗を促す発汗促進地で形成されている。
裏地ｂ１’は吸汗性、吸湿性を良好ならしめるインナー用地（ここでは綿布）で形成されている。
【００７３】
裏地ｂ１’は、ズボン本体１’の穿き口３０’等の若干の部分を除いて表地ａ１’の内面に略全面的に設けられている。
【００７４】
ズボンＢ’は、裏地ｂ１’が吸汗性、吸湿性を良好ならしめるためにインナー用地で形成されている一方、表地ａ１’はズボン外観を形成する発汗促進地からなっているので、このシャツを着用することで、着用者は発汗が促進される。
【００７５】
従って、外出時等において気軽に着用して、外見上は、外出先等に応じた、また、着用者の好みに応じた、或いはさらにおしゃれな表着を着用した恰好のままで、着用者の発汗を促すことができ、着用者の体重減量、健康増進、美容等を期待できる。
【００７６】
また、ズボンＢ’は、表着の内側に着用するものであるから、表着としての外観体裁を備える必要はなく、従って、年齢、デザイン上の好み等の点で異なる多様な人々に着用され得るように作製することが可能であり、そうすることで、年齢、デザイン上の好み等の点で異なる多様な人々が簡易に着用できるものとすることができる。
【００７７】
また、ズボンＢ’は、外観体裁よく形成してあり、着用して人目に触れるようなことがあっても、支障はない。
【００７８】
なお、ズボンＢ’の丈は図示のものに限定されず、３分丈、５分丈、７分丈、十分丈等のいずれでもよい。
また、ズボン穿き口部３０’、裾部３２’等のうち少なくとも一部を発汗抑制地を含んで形成してもよい。
【００７９】
図７は肌着であるブラジャー１０１及び肌着であるショーツ１０２をそれぞれ身につけた女性ＦＥが、それら下着の上から、図５に示す内側着であるシャツＡ’を着るとともに図６に示す内側着であるズボンＢ’を穿き、さらにそれらの上から表着である上着Ｓを着るとともに表着であるズボンＴを穿いた例を示している。表着Ｓ及びズボンＴは理解を容易にするため透視状態で示してある。
【００８０】
図７に示すように、シャツＡ’やズボンＢ’は、外出時において、肌着１０１、１０２の上から気軽に着用して、外見上は、外出先等に応じた、また、着用者の好みに応じた、或いはさらにおしゃれな表着Ｓ、Ｔを着用した恰好のままで、着用者の発汗を促すことができ、着用者の体重減量、健康増進、美容等を期待できる。
【００８１】
また、シャツＡ’やズボンＢ’は、表着の内側に着用するものであるから、表着としての外観体裁を備える必要はなく、従って、年齢、デザイン上の好み等の点で異なる多様な人々に着用され得るように作製することが可能であり、そうすることで、年齢、デザイン上の好み等の点で異なる多様な人々が簡易に着用できるものとすることができる。
【００８２】
ここでのシャツＡ’やズボンＢ’は、それより上側に着ている表着ＳやＴをたとえ脱いで該シャツＡ’やズボンＢ’が人目に触れることになったとしても、通常の肌着よりは、より表側に着用する衣類としての外観を呈しているので、上に着用している表着ＳやＴを脱いで内側着であるシャツＡ’やズボンＢ’で例えば粋に、お洒落に振る舞うこと等もできる。
【００８３】
いずれにしても、内側着は、シャツＡ’とズボンＢ’とを組み合わせたコンビネーションタイプのもの（例えば、図３に示した「つなぎＣ」と同様のもの）であってもよい。    また、コンビネーションタイプの内側着においても、シャツ部の袖口部や襟部及びズボン部の裾部等のうち少なくとも一部を発汗抑制地を含んで形成してもよい。
【００８４】
また、シャツＡ’及びズボンＢ’では表地が発汗促進地を用いて形成され、裏地がインナー用地を用いて形成されているが、表地をインナー用地を用いて形成し、裏地を発汗促進地を用いて形成してもよい。
インナー用地としては、前記例示の綿布に限定されず、一般的にインナー用として用いられている各種素地を採用でき、より好ましくは吸汗性、吸湿性に優れているものを採用できる。
【００８５】
＜シャツＡ、ズボンＢ及びつなぎＣ並びにシャツＡ’及びズボンＢ’等のインナーに共通の事項について＞
以上説明したシャツＡ、ズボンＢ、つなぎＣを形成しているインナー用地（これらインナーでは表地ａ、ａ’、ａ”）及び発汗促進地（これらインナーでは裏地ｂ、ｂ’、ｂ”）の例を図４を参照して説明する。
【００８６】
図４（Ａ）に示すインナー用地（表地）及び発汗促進地（裏地）の組み合わせでは、発汗促進地（裏地）が熱反射及び（又は）遠赤外線放射により保温性を発揮する非通気性合成樹脂シート１００からなっており、これがインナー用地である表布１０３の裏面（内面）に積層されている。さらに言えば、非通気性合成樹脂シート１００は、本例では、非通気性のポリウレタン樹脂シート１０１をチタン、ゲルマニウム等のうち少なくとも１種を配合した樹脂（例えばポリウレタン樹脂）からなる接着材層１０２で表布１０３の裏面に貼り合わせて形成してある。すなわち、ここでは、非通気性のポリウレタン樹脂シート１０１及びチタン、ゲルマニウム等のうち少なくとも１種を配合した樹脂（例えばポリウレタン樹脂）からなる接着材層１０２が保温性を有する非通気性合成樹脂シート１００を形成している。
【００８７】
前記のシャツＡ’及びズボンＢ’では、図４（Ａ）に示すインナー用地（表布１０３）が裏地ｂ１、ｂ１’として用いられるとともに発汗促進地（非通気性合成樹脂シート１００）が表地ａ１、ａ１’として用いられる。
【００８８】
インナーＡ、Ｂ、Ｃ、Ａ’、Ｂ’等のいずれの場合でも、図４（Ｂ）に示すように、図４（Ａ）に示す表布１０３及び非通気性合成樹脂シート１００の組み合わせにおいて、さらに、非通気性合成樹脂シート１００に、前記同様の接着材層１０２で表布１０３’を貼り合わせてもよい。
【００８９】
いずれにしても、シート１００に代えて、例えば、非通気性合成樹脂シート面にアルミニウム蒸着膜を形成したシートや、チタン、銀、ゲルマニウム等のうち少なくとも１種の配合とアルミニウム蒸着膜とを組み合わせ有している非通気性合成樹脂シート等も採用可能である。
【００９０】
表布１０３や表布１０３’としては、天然繊維、合成繊維、これらの組み合わせ等から形成された織物地、編物地（水着等に採用されている縦横伸縮性を有する所謂２ウエイ地等も含む）或いは不織布などの各種の屈曲性を有する布を採用できる。
【００９１】
なお、発汗促進地としては、所謂ウォームビズ対応素材である中空繊維を利用した保温性繊維、太陽光を吸収し、熱エネルギーに変換する物質（例えば炭化ジルコニウム）を含有させた蓄熱保温性繊維、遠赤外線放射効果のあるセラミックスを含有した合成樹脂繊維（例えばポリエステル系繊維）等からなる素地も利用できる。
【００９２】
インナーＡ、Ｂ、Ｃ、Ａ’、Ｂ’等のいずれの場合でも、発汗促進地のインナー用地への設け方としては、接着材による接着によるほか、縫着によるもの、これらの組み合わせ等も採用できる。また、ボタン等の留め具や面状ファスナ、ジッパ等の連結具による着脱可能な設け方を採用することもできる。
【００９３】
本発明に係る発汗着を兼ねるインナーのうち少なくとも一部、例えば、前記のシャツＡ、Ａ’の襟部、袖口部等のうち少なくとも一部、ズボンＢ、Ｂ’の穿き口部、裾部等のうち少なくとも一部などを発汗抑制地を含めて形成する場合の該発汗抑制地としては次のものを例示できる。
【００９４】
(1) メッシュを有する織物地、編物地、不織布等の通気性に富むメッシュ地
(2) 吸湿吸水性及び放湿性に優れる吸汗速乾素材〔例えば、東レ株式会社提供の吸水速乾性を有するニット素材「フィールドセンサ」（登録商標）や、東レ株式会社提供の吸水性繊維「セオアルファ」（登録商標）からなる吸水速乾性布材）からなる吸汗速乾地
(3) 触れると冷やっとする接触冷感があり、或いはさらに吸汗速乾性を備えていることもある、接触冷感素材〔例えば、東レ株式会社提供の接触冷感繊維「クールイン」（登録商標）〕からなるからなる接触冷感地
等である。
【００９５】
メッシュ地は、通気性良好であり、それだけ発汗着着用者のメッシュ地で覆われた身体部分からの発汗が抑制される。メッシュ地は例えば、吸水性繊維、接触冷感繊維等で形成されてもよい。
吸汗速乾地は、発汗着着用者の吸汗速乾地で覆われた身体部分からの汗を速やかに吸収して乾くので、結果として、該身体部分に清涼感が生じ、それだけ発汗が抑制される。
接触冷感地は、発汗着着用者の接触冷感地で覆われた身体部分に冷んやり感が生じる等により、該身体部分の発汗がそれだけ抑制される。
【産業上の利用可能性】
【００９６】
本発明は、発汗着を兼ねるインナーを提供することに利用できる。
【図面の簡単な説明】
【００９７】
【図１】図１（Ａ）は本発明に係る発汗着を兼ねるインナーの１例である肌着としてのシャツ型のインナーの正面図であり、図１（Ｂ）は同インナーの背面図である。
【図２】図２（Ａ）は本発明に係る発汗着を兼ねるインナーの他の例である肌着としてのズボン型のインナーの正面図であり、図２（Ｂ）は同インナーの背面図である。
【図３】図３（Ａ）は本発明に係る発汗着を兼ねるインナーのさらに他の例である肌着としてのコンビネーション型インナーの正面図であり、図３（Ｂ）は同インナーの背面図である。
【図４】図４（Ａ）は発汗促進地とインナー用地の組み合わせの１例を示す図であり、図４（Ｂ）は発汗促進地とインナー用地の組み合わせの他の例を示す図である。
【図５】本発明に係る発汗着を兼ねるインナーのさらに他の例である内側着としてのシャツ型のインナーの正面図である。
【図６】本発明に係る発汗着を兼ねるインナーのさらに他の例である内側着としてのズボン型のインナーの正面図である。
【図７】女性が肌着の上に内側着である図５のシャツ及び図６のズボンを着用し、さらにその上から表着である上着及びズボンを着用した例を示す図である。
【符号の説明】
【００９８】
Ａ  シャツ                                                                      １  シャツ本体
１１  襟
１２  本体裾口
２  袖
２１  袖口
ａ  表地
ｂ  裏地
Ｂ  ズボン
３  ズボン本体
３１  穿き口絞り部
３２  ズボン裾
ａ’  表地
ｂ’  裏地
Ｃ  つなぎ
４  シャツ部
４１  シャツ部本体
４１１  襟
４２  長袖
４２１  袖口
５  ズボン部
５１  足口
６  開閉部分
ａ”  表地
ｂ”  裏地
Ａ’  シャツ
１’  シャツ本体
１１’  丸襟
２’  長袖
２１’  袖口
ａ１  表地
ｂ１  裏地
Ｂ’  ズボン
３’  ズボン本体
３０  穿き口
３１’紐
ａ１’表地
ｂ１’裏地
１００  非通気性合成樹脂シート
１０１  非通気性のポリウレタン樹脂シート
１０２  接着材層
１０３、１０３’  表布
【図１】
2009167583.tif 000003
【図２】
2009167583.tif 000004
【図３】
2009167583.tif 000005
【図４】
2009167583.tif 000006
【図５】
2009167583.tif 000007
【図６】
2009167583.tif 000008
【図７】
2009167583.tif 000009